(57)【特許請求の範囲】
【請求項１】
原稿を搬送するための原稿搬送経路と、
前記原稿の第１面を読み取るための第１の読取部と、
前記原稿の第２面を読み取るための第２の読取部と、
を備え、
前記第２の読取部は、
密閉空間を形成するスキャナフレームと、
前記密閉空間の内部に配置される原稿読取りのための光源と、
を備え、
前記スキャナフレームは、前記光源を保持する放熱部材と、ガイドと、を備え、
前記放熱部材は、前記密閉空間を区画するとともに当該密閉空間の内外に跨って配置され、
前記スキャナフレームには、前記原稿搬送経路を向く面に凹部が形成されており、
前記ガイドは、前記凹部を閉じて前記原稿搬送経路を構成するとともに、前記放熱部材に接するように構成されていることを特徴とする原稿読取装置。
【請求項２】
原稿を搬送するための原稿搬送経路と、
前記原稿の第１面を読み取るための第１の読取部と、
前記原稿の第２面を読み取るための第２の読取部と、
を備え、
前記第２の読取部は、
密閉空間を形成するスキャナフレームと、
前記密閉空間の内部に配置される原稿読取りのための光源と、
を備え、
前記スキャナフレームは、前記光源を保持する放熱部材と、板金部材と、を備え、
前記放熱部材は、前記密閉空間を区画するとともに当該密閉空間の内外に跨って配置され、
前記板金部材は、前記放熱部材に接しており、当該板金部材の少なくとも一部が前記原稿搬送経路に露出していることを特徴とする原稿読取装置。
【請求項３】
請求項１又は２に記載の原稿読取装置であって、
前記密閉空間の外部において前記放熱部材にフィンが形成されていることを特徴とする原稿読取装置。
【請求項４】
請求項１に記載の原稿読取装置であって、
前記密閉空間の外部において前記放熱部材にフィンが形成されており、
前記フィンは前記凹部内に配置されることを特徴とする原稿読取装置。
【請求項５】
請求項４に記載の原稿読取装置であって、
前記凹部は細長い形状であることを特徴とする原稿読取装置。
【請求項６】
請求項１から５までの何れか一項に記載の原稿読取装置であって、
前記光源はＬＥＤ光源であることを特徴とする原稿読取装置。
【発明の詳細な説明】
【技術分野】
【０００１】
本発明は原稿読取装置に関するものであり、詳細には、両面読取機能を備えた原稿読取装置に関するものである。
【背景技術】
【０００２】
自動原稿搬送装置（オートドキュメントフィーダ、ＡＤＦ）を備えた原稿読取装置においては、前記ＡＤＦに表面読取用の第１の読取部と裏面読取用の第２の読取部とを備え、原稿搬送経路に原稿を１回通過させるだけで両面読取が可能な構成をとるものがある。このようなワンパスＡＤＦ方式の構成において、前記第２の読取部は密閉型として紙粉及び埃等のゴミの侵入を防止し、内部に配置される光学部品等にゴミが付着しないように構成されていることが多い。
【０００３】
このように原稿裏面読取用の読取部が密閉構造をとる場合、前記読取部の光源および雰囲気温度が非常に高温となる。このため、温度上昇による読取部のフレームの変形および光軸のズレなどの原因となっていた。しかし、温度上昇を抑えるために読取部に開放部を設けると、ゴミ等の影響でスキャナフレーム内が汚染されるという問題があった。
【０００４】
この点に関し、例えば特許文献１は、画像読取装置ではなく画像形成装置（光書込装置）に関するものであるが、高温部材等の冷却効率を上げるためにハウジング外部に突出した放熱部を持つ構成を開示する。
【特許文献１】特開２００６−２７０１１号公報
【発明の開示】
【発明が解決しようとする課題】
【０００５】
前記特許文献１で開示された発明は、放熱部を設けて熱源からの熱を効率良く放熱しようとするものであるが、放熱部を装置外部に露出させるための孔を設けており、装置の密閉状態が失われている。従って、特許文献１は、装置内部がゴミ等で汚染されてしまうという問題点を解決することができない。
【０００６】
本発明は以上の点に鑑みてされたものであり、その目的は、原稿裏面用の読取部において、密閉構造を保ちつつ、光源の熱を外部へ効率良く放熱可能な構成を提供することにある。
【課題を解決するための手段及び効果】
【０００７】
本発明の解決しようとする課題は以上の如くであり、次にこの課題を解決するための手段とその効果を説明する。
【０００８】
本発明の観点によれば、以下の構成の原稿読取装置が提供される。即ち、この原稿読取装置は、原稿を搬送するための原稿搬送経路と、前記原稿の第１面を読み取るための第１の読取部と、前記原稿の第２面を読み取るための第２の読取部とを備える。前記第２の読取部は、密閉空間を形成するスキャナフレームと、前記密閉空間の内部に配置される原稿読取りのための光源と、を備える。前記スキャナフレームは、前記光源を保持する放熱部材と、ガイドと、を備える。前記放熱部材は、前記密閉空間を区画するとともに当該密閉空間の内外に跨って配置される。また、前記スキャナフレームの前記原稿搬送経路を向く面には、凹部が形成される。前記ガイドは、前記凹部を閉じて前記原稿搬送経路を構成するとともに、前記放熱部材に接するように構成されている。
また、本発明の別の観点によれば、以下の構成の原稿読取装置が提供される。即ち、この原稿読取装置は、原稿を搬送するための原稿搬送経路と、前記原稿の第１面を読み取るための第１の読取部と、前記原稿の第２面を読み取るための第２の読取部とを備える。前記第２の読取部は、密閉空間を形成するスキャナフレームと、前記密閉空間の内部に配置される原稿読取りのための光源と、を備える。前記スキャナフレームは、前記光源を保持する放熱部材と、板金部材と、を備える。前記放熱部材は、前記密閉空間を区画するとともに当該密閉空間の内外に跨って配置される。前記板金部材は、前記放熱部材に接しており、当該板金部材の少なくとも一部が前記原稿搬送経路に露出している。
【０００９】
これにより、第２の読取部の密閉を保ちつつ、前記放熱部材を前記第２の読取部の外部に露出させて、前記光源の熱を前記第２の読取部の外部へ効果的に放熱することができる。
また、凹部を閉じるガイドを設けることにより、前記凹部に用紙が引っかかることを防ぐことができる。そして、当該ガイドに放熱部材を接触させることにより、前記放熱部材から前記ガイドに伝わった熱を用紙に逃がすことができるので、前記光源の冷却効果を増大させることができる。
あるいは、板金部材を設け、当該板金部材に放熱部材を接触させることにより、放熱面積が増大し、また、用紙への熱の伝達によって、冷却効果を増大させることができる。
【００１０】
前記原稿読取装置においては、前記スキャナフレーム外部において前記放熱部材にフィンが形成されていることが好ましい。
【００１１】
これにより、第２の読取部の外部で露出する前記放熱部材の表面積を増やし、前記光源の冷却効果を増大させることができる。
【００１２】
前記原稿読取装置においては、前記スキャナフレームに凹部が形成され、前記フィンは前記凹部内に配置されることが好ましい。
【００１３】
これにより、前記フィンが凹部内に配置されることで、スキャナフレームからフィンが外部に大きく突出するのを防止できる。従って、第２の読取部をコンパクトに構成できるとともに、フィンが原稿搬送経路を遮って原稿の搬送の邪魔になることを防止できる。
【００１６】
前記原稿読取装置においては、前記凹部は細長い形状であることが好ましい。
【００１７】
これにより前記凹部内を空気が通過し易くなり、冷却効果を増大させることができる。
【００２０】
前記原稿読取装置においては、前記光源は発光ダイオード（ＬＥＤ）光源であることが好ましい。
【００２１】
即ち、ＬＥＤ光源は温度によって光量が変化し易い特性を有しているため、本発明の構成とすることが特に有効である。
【発明を実施するための最良の形態】
【００２２】
以下、本発明の好適な実施形態について図面を参照しながら説明する。図１は本発明の一実施形態に係る原稿読取装置としてのイメージスキャナ装置１０を含むコピーファクシミリ複合機（複合機）２０の外観斜視図である。図１に示すように、コピーファクシミリ複合機２０は、ブックスキャナ及びオートドキュメントフィードスキャナとして機能するイメージスキャナ装置１０を備える。また、複合機２０は、コピー部数、ファクシミリ送信先及び原稿読取等を指示するための操作パネル７７と、記録媒体としての用紙に画像を形成する画像形成部等を内蔵した本体７８と、前記用紙を順次供給する給紙カセット７９と、を備えている。前記本体７８は、通信回線を介して画像データを伝送するための図略の送受信部を備える。
【００２３】
次に図２を参照して、前記複合機２０が備えるイメージスキャナ装置１０について説明する。図２はイメージスキャナ装置１０の正面断面図である。図２に示すように、イメージスキャナ装置１０は、プラテンガラス２２と原稿台カバー２１とを備えている。この原稿台カバー２１には自動原稿搬送装置（オートドキュメントフィーダ、ＡＤＦ）２５が備えられている。また、イメージスキャナ装置１０は、原稿の画像を読み取るためのスキャナユニット（第１の読取部）５０及び第２スキャナユニット（第２の読取部）６０を備えている。
【００２４】
このイメージスキャナ装置１０をオートドキュメントフィードスキャナとして使用する場合は、前記ＡＤＦ２５によって原稿を１枚ずつ搬送する。そして、原稿の表側の面（第１面）の画像はスキャナユニット５０によって読み取られ、裏側の面（第２面）の画像は第２スキャナユニット６０によって読み取られる。
【００２５】
一方、イメージスキャナ装置１０をブックスキャナとして使用する場合は、読み取るべきブック原稿をユーザがプラテンガラス２２上に載置して、その上から原稿台カバー２１によって押圧して、ブック原稿が動かないように固定する。この状態で、スキャナユニット５０によって原稿の画像を読み取ることができるようになっている。
【００２６】
図２に示すように、前記原稿台カバー２１が備えるＡＤＦ２５は、原稿台カバー２１の上部に設けられた原稿トレイ２３と、この原稿トレイ２３の下方に設けられた排出トレイ２４と、を備える。
【００２７】
図２に示すように、前記原稿台カバー２１の内部には、原稿トレイ２３と排出トレイ２４とを繋ぐ湾曲状の原稿搬送経路３０が構成されている。この構成で、原稿トレイ２３に重ねてセットされた原稿は、１枚ずつ分離されて湾曲状の前記原稿搬送経路３０に沿って搬送され、排出トレイ２４へ排出される。原稿の読取開始等の指示は、図２において省略されている操作パネル７７によって行うことができる。
【００２８】
次に、原稿搬送経路３０に沿って、ＡＤＦ２５の各部の詳細な構成を説明する。
【００２９】
図２に示すように、原稿トレイ２３から原稿搬送経路３０に原稿が供給される箇所にはピックアップローラ３１が配置されている。このピックアップローラ３１の下流側には分離ローラ３２が備えられ、この分離ローラ３２に対向して対向ローラ３７が配置されている。ピックアップローラ３１は原稿トレイ２３上の最上層の原稿を繰り込み、下流の分離ローラ３２へ向かって搬送する。分離ローラ３２は、原稿を対向ローラ３７との間でニップしながら駆動することで、原稿を１枚ずつ分離し、更に下流側へ搬送する。
【００３０】
分離ローラ３２の下流側には、レジストローラ３９と、このレジストローラ３９と対になる対向ローラと、が配置されている。レジストローラ３９は前記対向ローラとともに、分離ローラ３２によって搬送されてくる原稿の先頭側を一時的に止めて弛ませ、所定時間後に弛みを除去しつつ下流側に搬送する。これにより、原稿の斜行が矯正される。
【００３１】
レジストローラ３９の下流側には、複数の搬送ローラ３３，３４，３５が設けられる。また、この搬送ローラ３３，３４，３５のそれぞれに対向するようにローラが配置されている。前記レジストローラ３９の駆動によって下流側へ搬送された原稿は、搬送ローラ３３，３４，３５とそれらに対向するローラとによりニップされて、更に下流側へ搬送される。
【００３２】
２つの搬送ローラ３４，３５の間には第１原稿読取位置８０が設定されており、この第１原稿読取位置８０を通過する原稿は、以下に説明するスキャナユニット５０によって走査され、読み取られる。なお、この第１原稿読取位置８０にはプラテンローラ２９が配置されている。
【００３３】
スキャナユニット５０を説明する。このスキャナユニット５０は本体７８側に設置されるとともに、ＡＤＦ２５及びプラテンガラス２２の下方に配置されている。また、このスキャナユニット５０は、光源５１と、反射ミラー５２，５３，５４と、集光レンズ５５と、電荷結合素子（ＣＣＤ）５６と、を備えている。光源５１は前記ＡＤＦ２５の前記第１原稿読取位置８０（又はプラテンガラス２２）に対して光を照射し、反射ミラー５２，５３，５４は原稿からの反射光を反射させる。そしてこの反射光を集光レンズ５５で収束させて、この収束光がＣＣＤ５６の部分で結像するように構成されている。
【００３４】
スキャナユニット５０の光源５１及び反射ミラー５２等は移動可能に構成されている。前述したようにイメージスキャナ装置１０をブックスキャナとして使用する場合は、スキャナユニット５０の光源５１及び反射ミラー５２等をプラテンガラス２２に沿って移動させる。これによって、プラテンガラス２２上に載置された原稿を走査できるようになっている。
【００３５】
一方、イメージスキャナ装置１０をオートドキュメントフィードスキャナとして使用する場合（ＡＤＦ２５を用いて原稿を読み取る場合）は、光源５１及び反射ミラー５２等は、図２に示すように、前記第１原稿読取位置８０に対向する位置まで移動させて静止させておく。この状態でＡＤＦ２５を駆動することにより、原稿搬送経路３０を搬送されて第１原稿読取位置８０を通過する原稿の表側の面を、スキャナユニット５０が走査して読み取ることができる。
【００３６】
スキャナユニット５０において、原稿からの反射光は前述のとおりＣＣＤ５６へ導かれて結像し、ＣＣＤ５６は原稿の画像情報に応じた電気信号を出力する。この信号は適宜変換処理され、複合機２０が備える画像形成部に送信される。そして、この送信された画像情報が画像形成部によって記録媒体としての用紙に転写されることで、複合機２０のコピー機能等が実現される。
【００３７】
原稿搬送経路３０において、前記第１原稿読取位置８０の下流側（搬送ローラ３５の下流側）には第２原稿読取位置９０が設定されている。この第２原稿読取位置９０を通過する原稿の裏面は、次に説明する第２スキャナユニット６０によって走査されて読み取られる。
【００３８】
第２スキャナユニット６０は、内部の光学系を構成する部品等を保持するスキャナフレーム１２を備えている。このスキャナフレーム１２は、原稿の裏面を読み取るための読取ガラス４２を備えている。この読取ガラス４２は、第２スキャナユニット６０の底部であって、前記第２原稿読取位置９０に対応する位置に配置される。
【００３９】
スキャナフレーム１２は中空状に構成されるとともに、その内部空間を密閉可能に構成されている。そして、この密閉された空間の内部に、第２スキャナユニット６０の構成部品が配置される。この第２スキャナユニット６０は前記スキャナユニット５０と同様に、ＬＥＤ光源６１と、反射ミラー６２，６３，６４，６５と、集光レンズ６７と、及び電荷結合素子（ＣＣＤ）５７と、を備えている。前記ＬＥＤ光源６１は前記読取ガラス４２を介して第２原稿読取位置９０に光を照射し、原稿からの反射光は反射ミラー６２，６３，６４，６５によって反射し、更に集光レンズ６７で収束してＣＣＤ５７の部分に結像する。ＣＣＤ５７は、スキャナユニット５０におけるＣＣＤ５６と同様に、原稿の画像情報に応じた電気信号を出力する。この信号も適宜変換処理され、複合機２０が備える画像形成部に送信される。
【００４０】
また、スキャナフレーム１２の第２原稿読取位置９０（前記読取ガラス４２）に対向するように、プラテンローラ３８がＡＤＦ２５本体部分に配置されている。この構成で、前記搬送ローラ３５により搬送された原稿がプラテンローラ３８の部分に差し掛かると、当該原稿はプラテンローラ３８により搬送されながらその裏側の面が走査されて読み取られる。
【００４１】
以上のようにして２つの原稿読取位置で表裏両面の内容を読み取られた原稿は、排出ローラ３６によって搬送され、排出トレイ２４へ排出される。このようにして、原稿搬送経路３０に原稿を１回通過させるだけで両面読取が可能な構成の、いわゆるワンパス方式のＡＤＦ２５が構成されている。
【００４２】
次に図３及び図４を参照して、第２スキャナユニット６０のＬＥＤ光源６１近傍の構成について説明する。図３は図２に示されたイメージスキャナ装置１０におけるＡＤＦ２５の拡大図である。図４は第２スキャナユニットのＬＥＤ光源６１近傍を示す要部拡大図である。
【００４３】
第２スキャナユニット６０の構成部品を保持するスキャナフレーム１２は、フレーム本体４１と、前記読取ガラス４２と、放熱部材４３と、閉鎖部材（板金部材）４４と、を備えている。フレーム本体４１は中空箱状に構成され、その底面には貫通状の切欠部４５が形成されている。この切欠部４５は、原稿の幅方向（図３の紙面に垂直な方向）に細長く形成されている。
【００４４】
図４に示すように、前記切欠部４５の短手方向一側の縁部には前記読取ガラス４２が固定され、この読取ガラス４２の端部には放熱部材４３が設置される。この放熱部材４３は傾斜状の取付面を備えており、この取付面に前記ＬＥＤ光源６１が固定される。ＬＥＤ光源６１は、この放熱部材４３によって前記読取ガラス４２の近傍位置に保持されている。放熱部材４３は例えば押出成形によって厚肉状に形成されており、ＬＥＤ光源６１を効果的に冷却するために熱容量が大きく確保されている。
【００４５】
前記閉鎖部材４４は板金を折り曲げて形成されている。この閉鎖部材４４は、前記放熱部材４３と同様に原稿の幅方向に細長く形成され、その短手方向一端が前記放熱部材４３の上面に密着するように固定されている。また、この閉鎖部材４４の短手方向他端は、前記切欠部４５の縁部（読取ガラス４２と反対側の縁部）において、前記フレーム本体４１に固着されている。
【００４６】
この結果、フレーム本体４１に開口されている前記切欠部４５は、読取ガラス４２、放熱部材４３及び閉鎖部材４４によって密閉され、スキャナフレーム１２内に密閉空間が構成されている。言い換えれば、フレーム本体４１、読取ガラス４２、放熱部材４３及び閉鎖部材４４は、第２スキャナユニット６０の光学系を収容する密閉空間を区画している。
【００４７】
前記閉鎖部材４４は適宜折り曲げられており、この結果、前記切欠部４５に相当する位置においてスキャナフレーム１２の下面に凹部４６が形成されている。この凹部４６は前記放熱部材４３と同様に原稿の幅方向に細長く形成され、この凹部４６内（スキャナフレーム１２の密閉空間の外部）に前記放熱部材４３の一部が露出している。放熱部材４３が凹部４６内に露出している部分には、凹部４６の長手方向に細長いフィン４８が形成されている。
【００４８】
前記凹部４６の内部には、前記排出ローラ３６に対向するニップローラ７０の軸が配置されている。また、前記凹部４６を閉じるように、前記スキャナフレーム１２の下面にはガイド４７が固定されている。このガイド４７は原稿搬送経路３０の一部を構成するとともに、搬送される原稿の先頭が前記凹部４６に入り込んで詰まりを生じることを防いでいる。また、このガイド４７は前記放熱部材４３に接触するように配置されている。
【００４９】
次に、原稿読取時にＬＥＤ光源６１から発せられた熱の流れについて説明する。ＬＥＤ光源６１から発した熱は放熱部材４３に伝わり、更に閉鎖部材４４とガイド４７に伝達される。放熱部材４３に伝達された熱は、フィン４８によって前記凹部４６内へ効率よく放熱される。また、閉鎖部材４４とガイド４７に伝達された熱も凹部４６内へ放熱される。更に、原稿搬送経路３０に沿って送られてきた原稿は、ガイド４７及び閉鎖部材４４が原稿搬送経路３０に露出した部分に接触又は近接しながら通過することによって、ガイド４７及び閉鎖部材４４の熱を受け取る。このように、原稿を媒介して熱を逃がすことで冷却効果を更に増大させることができる。
【００５０】
また、ＡＤＦ２５は図略の通風装置を備えており、この通風装置が生起した冷却風が前記凹部４６内を原稿幅方向に沿って流れるように構成されている。これにより、前記凹部４６が冷却風を流すダクトのような機能を発揮し、放熱部材４３、ガイド４７、閉鎖部材４４からの放熱を促進させる。特に、放熱部材４３に形成されたフィン４８は前述のとおり前記凹部４６の長手方向に形成されており、これは冷却風の流れる方向と同じなので、大きな冷却効果を得ることができる。
【００５１】
以上に示すように、本実施形態の複合機２０はイメージスキャナ装置１０を備え、このイメージスキャナ装置１０は、原稿を搬送するための原稿搬送経路３０と、前記原稿の表面を読み取るためのスキャナユニット５０と、前記原稿の裏面を読み取るための第２スキャナユニット６０と、を備える。前記第２スキャナユニット６０は、密閉空間を形成するスキャナフレーム１２と、この密閉空間の内部に配置される原稿読取りのためのＬＥＤ光源６１と、を備える。スキャナフレーム１２は、前記ＬＥＤ光源６１を保持する放熱部材４３を備える。この放熱部材４３は、前記密閉空間を区画するとともに当該密閉空間の内外に跨って配置される。
【００５２】
これにより、第２スキャナユニット６０の密閉を保ちつつ、前記放熱部材４３を前記第２スキャナユニット６０の外部に露出させて、ＬＥＤ光源６１の熱を前記第２スキャナユニット６０の外部へ効果的に放熱することができる。
【００５３】
また、本実施形態では、前記密閉空間の外部において前記放熱部材４３にフィン４８が形成されている。
【００５４】
これにより、第２スキャナユニット６０の密閉空間の外部で露出する放熱部材４３の表面積を増やし、ＬＥＤ光源６１の冷却効果を増大させることができる。
【００５５】
また、本実施形態では、前記スキャナフレーム１２に凹部４６が形成され、前記フィン４８は前記凹部４６内に配置される。
【００５６】
これにより、前記フィン４８が凹部４６内に配置されることで、スキャナフレーム１２からフィン４８が外部に大きく突出するのを防止できる。従って、第２スキャナユニット６０をコンパクトに構成できるとともに、フィン４８が原稿搬送経路３０を遮って原稿の搬送の邪魔になることを防止できる。
【００５７】
また、本実施形態のイメージスキャナ装置１０は、前記凹部４６を閉じて前記原稿搬送経路３０を構成するガイド４７を備える。そして、前記ガイド４７は前記放熱部材４３に接するように構成されている。
【００５８】
これにより、前記凹部４６に原稿の先頭が入り込んで詰まることをガイド４７により防ぐことができる。また、放熱部材４３からガイド４７に伝わった熱を、当該ガイド４７近傍を通過する原稿を介して逃がすことができる。従って、ＬＥＤ光源６１の冷却効果を増大させることができる.
【００５９】
また、本実施形態のイメージスキャナ装置１０において、前記凹部４６は細長く形成されている。
【００６０】
これにより、凹部４６内を空気が長手方向に沿って通過し易くなり、冷却効果を増大させることができる。
【００６１】
また、本実施形態のイメージスキャナ装置１０において、前記スキャナフレーム１２は、前記放熱部材４３に接する閉鎖部材４４を備える。そして、前記閉鎖部材４４の一部が前記原稿搬送経路３０に露出するように構成されている。
【００６２】
これにより、閉鎖部材４４によって放熱面積を更に増大させ、ＬＥＤ光源６１を良好に冷却することができる。また、閉鎖部材４４の近傍を原稿が通過することで熱を逃がすことができるので、閉鎖部材４４によるＬＥＤ光源６１の冷却効果を増大させることができる。
【００６３】
また、本実施形態のイメージスキャナ装置１０において、第２スキャナユニットの光源はＬＥＤ光源６１として構成されている。
【００６４】
即ち、本実施形態の構成は上述のように光源を良好に冷却できるので、光源として、光量は多いが温度によって光量が変化し易い特性を有するＬＥＤ光源６１を採用した場合に特に有効である。
【００６５】
以上に本発明の好適な実施形態を説明したが、上記の構成は例えば以下のように変更することができる。
【００６６】
放熱部材４３の形状は、ＬＥＤ光源６１を保持するとともにスキャナフレーム１２の外部に一部を露出させる構成であれば、特に限定されない。ただし、スキャナフレーム１２外部へ効率よく放熱する観点からは、スキャナフレーム１２外部へ露出する部分にフィンを形成することが好ましい。
【００６７】
スキャナフレーム１２に凹部４６を形成することに代えて、放熱部材４３の一部を、例えば原稿搬送経路３０に直接対面するように露出させることもできる。この場合、ガイド４７及び閉鎖部材４４が不要となり、装置全体が簡単な構造となる利点がある。
【００６８】
閉鎖部材４４はフレーム本体４１と別の部品とすることに代えて、フレーム本体４１と一体形成することができる。ただし、フレーム本体４１への熱の伝達を抑制するという観点からは、上記実施形態のように別の部品として構成することが好ましい。また、閉鎖部材４４とスキャナフレーム１２の間には断熱部材を介在させても良い。
【００６９】
前記ガイド４７或いは閉鎖部材４４の表面にフィンを形成しても良い。この場合には更なる放熱効果が期待できる。
【００７０】
ＬＥＤ光源６１は、例えば蛍光ランプに変更することができる。ただし、ＬＥＤ光源は温度によって光量が変化し易い性質を持っているため、本発明の放熱部材４３はＬＥＤ光源６１に対し適用することが特に好適である。
【００７１】
前記複合機２０に代えて、例えば両面読取方式のコピー機、イメージスキャナ装置等にも、本発明の構成を適用することができる。
【図面の簡単な説明】
【００７２】
【図１】本発明の一実施形態に係るイメージスキャナ装置を含む複合機の様子を示した外観斜視図。
【図２】本実施形態のイメージスキャナ装置の構成を示した正面断面図。
【図３】図２におけるＡＤＦの拡大図。
【図４】第２スキャナユニットのＬＥＤ光源近傍を示す要部拡大図。
【符号の説明】
【００７３】
１０  イメージスキャナ装置（原稿読取装置）
１２  スキャナフレーム
２０  コピーファクシミリ複合機
３０  原稿搬送経路
４１  フレーム本体
４２  読取ガラス
４３  放熱部材
４４  閉鎖部材（板金部材）
４６  凹部
４７  ガイド
４８  フィン
５０  スキャナユニット（第１の読取部）
６０  第２スキャナユニット（第２の読取部）
６１  ＬＥＤ光源（光源）
【図１】
0004596374.tif 000002
【図２】
0004596374.tif 000003
【図３】
0004596374.tif 000004
【図４】
0004596374.tif 000005